(57)【要約】【課題】外出時におけるおむつ取り替え作業に係る利便性を大幅に向上させることができる乳母車を提供する。【解決手段】乳母車１１は、座部１２１と、背もたれ部１２２と、座部１２１に設けられ、先端に連結部材２１が取り付けられた股拘束ベルト１９とを有する座席部１２と、座席部１２の下方空間に設けられ、その内部に荷物を収容可能な荷物収容部３１と、荷物収容部３１の底部に着脱可能に挿入される底板部材兼用おむつ替えシート４１とを備える。ここで、底板部材兼用おむつ替えシート４１は、股拘束ベルト１９に取り付けられた連結部材２１を全て覆うように、座席部１２の上に設置可能となっており、座席部１２の上に設置された場合、乳幼児をその上に仰臥させ、連結部材２１が乳幼児に接触することなく、おむつ取り替え作業を行うことを可能とするおむつ替えシートとして機能する。【選択図】図３
0003168619.tif 000002
【実用新案登録請求の範囲】
【請求項１】
乳幼児を下方から支持する座部と、乳幼児を背後から支持する背もたれ部と、前記座部に設けられ、先端に連結部材が取り付けられた股拘束ベルトと、を有する座席部と、
前記座席部の下方空間に設けられ、その内部に荷物を収容可能な荷物収容部と、
前記荷物収容部の底部に着脱可能に挿入される底板部材と、を備え、
前記底板部材は、
前記股拘束ベルトに取り付けられた連結部材を全て覆うように、前記座席部の上に設置可能となっており、
前記座席部の上に設置された場合、乳幼児をその上に仰臥させ、前記連結部材が乳幼児に接触することなく、おむつ取り替え作業を行うことを可能とするおむつ替えシートとして機能する、乳母車。
【請求項２】
前記底板部材は、
前記荷物収容部内に挿入され、その上に荷物が載置された場合に、前記荷物収容部を安定して保形可能な剛性と、
前記座席部の上に設置され、その上に乳幼児を仰臥させた場合に、乳幼児の快適性を損なうことのない柔軟性と、を有する材料によって構成される、請求項１に記載の乳母車。
【請求項３】
底板部材の表面は、水分が浸透不可能な材料によって覆われる、請求項１または２に記載の乳母車。
【請求項４】
前記底板部材の左右方向の幅は、１８０ｍｍ〜４００ｍｍの範囲内に設定される、請求項１〜３のいずれかに記載の乳母車。
【請求項５】
前記底板部材の前後方向の長さは、２００ｍｍ〜６００ｍｍの範囲内に設定される、請求項１〜４のいずれかに記載の乳母車。
【請求項６】
前記底板部材は、
前記座席部の上に設置された場合に前記座部と前記背もたれ部との境界線に相当する領域に折り曲げ部を有し、
当該折り曲げ部において折り曲げ可能となっている、請求項１〜５のいずれかに記載の乳母車。
【請求項７】
乳幼児を下方から支持する座部と、乳幼児を背後から支持する背もたれ部と、前記座部に設けられ、先端に連結部材が取り付けられた股拘束ベルトと、を有する座席部と、
前記座席部の下方空間に設けられ、その内部に荷物を収容可能な荷物収容部と、を備える乳母車に用いられ、
前記荷物収容部の底部に挿入され、前記荷物収容部に荷物が収容された場合に、荷物を下方から支持するとともに前記荷物収容部を保形する底板部材としての機能と、
前記荷物収容部から取り外し、前記座席部の上に設置された場合に、前記股拘束ベルトに取り付けられた連結部材を全て覆い、乳幼児をその上に仰臥させ、当該連結部材が乳幼児に接触することなく、おむつ取り替え作業を行うことを可能とするおむつ替えシートとしての機能と、を兼ね備える、底板部材兼用おむつ替えシート。
【考案の詳細な説明】
【技術分野】
【０００１】
本考案は、乳母車、および乳母車に適用可能なおむつ替えシートに関するものである。
【背景技術】
【０００２】
乳幼児の移動の際に用いられる乳母車において、使用者の利便性を向上させるために、乳幼児とともに荷物を運搬することが可能な乳母車が、従来から知られている。このような乳母車は、一般的に、乳幼児が着座する座席部の下方空間において、荷物を内部に収容可能な籠状の荷物収容部を備えている。このような乳母車が、例えば特開２００４−１６１２３８号公報（特許文献１）に、開示されている。
【先行技術文献】
【特許文献】
【０００３】
【特許文献１】特開２００４−１６１２３８号公報
【考案の概要】
【考案が解決しようとする課題】
【０００４】
乳母車を用いて乳幼児と外出した際に、乳幼児のおむつを取り替えることが必要となる場合が、往々にしてある。このような場合において、乳幼児を乳母車に着座させたままおむつを取り替えようとすると、乳母車の座席部に設けられた拘束ベルトのバックル等の硬い部材が、乳幼児と接触してしまうこととなる。これにより、乳幼児の快適性を損なうことなく、おむつを取り替えることが困難である。したがって、従来から、このような場合においては、使用者は、おむつ取り替えに適した場所を探すか、おむつ替えシートを別途持ち運んで使用する必要があった。このような背景から、乳母車を伴った外出時において、おむつ取り替え作業に係る利便性をより向上させることに対する強い要望があった。
【０００５】
そこで、本考案の目的は、上記課題に鑑み、外出時におけるおむつ取り替え作業に係る利便性を大幅に向上させることができる乳母車を提供することである。
【０００６】
本考案の他の目的は、外出時におけるおむつ取り替え作業に係る利便性を大幅に向上させることができる乳母車に適用可能おむつ替えシートを提供することである。
【課題を解決するための手段】
【０００７】
本考案に係る乳母車は、乳幼児を下方から支持する座部と、乳幼児を背後から支持する背もたれ部と、座部に設けられ、先端に連結部材が取り付けられた股拘束ベルトとを有する座席部と、座席部の下方空間に設けられ、その内部に荷物を収容可能な荷物収容部と、荷物収容部の底部に着脱可能に挿入される底板部材とを備える。ここで、底板部材は、股拘束ベルトに取り付けられた連結部材を全て覆うように、座席部の上に設置可能となっており、座席部の上に設置された場合、乳幼児をその上に仰臥させ、連結部材が乳幼児に接触することなく、おむつ取り替え作業を行うことを可能とするおむつ替えシートとして機能する。
【０００８】
この構成によれば、乳母車の荷物収容部に、当該荷物収容部の保形のために挿入された底板部材を、おむつ替えシートとして利用することができる。これにより、使用者は、外出時におむつ取り替える場合、荷物収容部から底板部材を取り出して乳母車の座席部上に設置することによって、乳幼児の快適性を損なうことなく容易におむつ取り替え作業を行うことができる。したがって、従来のように、使用者がおむつ取り替えに適した場所を探す必要や、おむつ取り替え用部材を別途持ち運んで使用する必要がなくなるため、外出時におけるおむつ取り替え作業に係る利便性を大幅に改善することができる。また、上記底板部材を、荷物収容部の底部に挿入して用いた場合は、荷物収容部内に挿入された荷物を下方から安定して支持し、荷物収容部を堅固に保形することができることから、乳幼児とともに荷物を安定して運搬することができる。
【０００９】
好ましくは、底板部材は、荷物収容部内に挿入され、その上に荷物が載置された場合に、荷物収容部を安定して保形可能な剛性と、座席部の上に設置され、その上に乳幼児を仰臥させた場合に、乳幼児の快適性を損なうことのない柔軟性とを有する材料によって構成される。この構成によれば、底板部材は、荷物収容部内に挿入されて用いられた場合には、荷物収容部を安定して保形可能な底板部材として有利に機能し、且つ、おむつ取り替えのために用いた場合には、乳幼児の快適性を損なわないおむつ替えシートとして有利に機能させることができる。
【００１０】
好ましくは、底板部材の表面は、水分が浸透不可能な材料によって覆われる。この構成によれば、おむつ取り替え時に底板部材の表面に汚物が付着したとしても、使用者は、その汚物を容易に拭き取ることができる。したがって、清潔性に優れた底板部材を提供することができる。
【００１１】
好ましくは、底板部材の左右方向の幅は、１８０ｍｍ〜４００ｍｍの範囲内に設定される。さらに好ましくは、底板部材の前後方向の長さは、２００ｍｍ〜６００ｍｍの範囲内に設定される。この構成によれば、荷物収容部用の底板部材としての用途と、おむつ替えシートとしての用途とを、より有利に両立させることができる。
【００１２】
好ましくは、底板部材は、座席部の上に設置された場合に座部と背もたれ部との境界線に相当する領域に折り曲げ部を有し、当該折り曲げ部において折り曲げ可能となっている。この構成によれば、乳母車の座席部の形状に応じて底板部材が変形可能となっているため、おむつ替えシートとして用いた場合に、仰臥する乳幼児の快適性をより向上させることができる。
【００１３】
本考案の他の局面として、本考案に係る底板部材兼用おむつ替えシートは、乳幼児を下方から支持する座部と、乳幼児を背後から支持する背もたれ部と、座部に設けられ、先端に連結部材が取り付けられた股拘束ベルトとを有する座席部と、座席部の下方空間に設けられ、その内部に荷物を収容可能な荷物収容部とを備える乳母車に用いられるものである。ここで、底板部材兼用おむつ替えシートは、荷物収容部の底部に挿入され、荷物収容部に荷物が収容された場合に、荷物を下方から支持するとともに荷物収容部を保形する底板部材としての機能と、荷物収容部から取り外し、座席部の上に設置された場合に、股拘束ベルトに取り付けられた連結部材を全て覆い、乳幼児をその上に仰臥させ、当該連結部材が乳幼児に接触することなく、おむつ取り替え作業を行うことを可能とするおむつ替えシートとしての機能とを兼ね備える。
【００１４】
この構成によれば、底板部材兼用おむつ替えシートは、常時においては、乳母車の荷物収容部の底部に挿入され、荷物を下方から安定して支持するとともに、荷物収容部を堅固に保形することができる底板部材として有利に機能する。そして、おむつ取り替え時には、荷物収容部から取り出されて用いられ、乳幼児に不快感を与えることなくおむつ取り替え作業を行うことを可能とするおむつ替えシートとして有利に機能する。すなわち、使用者は、乳母車を伴って外出したときにおむつ取り替えの必要が生じた場合に、従来のようにおむつ取り替えに適した場所を探す必要や、おむつ取り替え用部材を別途持ち運んで使用する必要がない。これにより、外出時におけるおむつ取り替え作業に係る利便性を大幅に改善することができる。
【考案の効果】
【００１５】
本考案によれば、乳母車の荷物収容部に、当該荷物収容部の保形のために挿入された底板部材を、おむつ替えシートとして利用することができる。これにより、使用者は、外出時におむつ取り替える場合、荷物収容部から底板部材を取り出して乳母車の座席部上に設置することによって、乳幼児の快適性を損なうことなく容易におむつ取り替え作業を行うことができる。したがって、従来のように、使用者がおむつ取り替えに適した場所を探す必要や、おむつ取り替え用部材を別途持ち運んで使用する必要がなくなるため、外出時におけるおむつ取り替え作業に係る利便性を大幅に改善することができる。また、上記底板部材を、荷物収容部の底部に挿入して用いた場合は、荷物収容部内に挿入された荷物を下方から安定して支持し、荷物収容部を堅固に保形することができることから、乳幼児とともに荷物を安定して運搬することができる。
【図面の簡単な説明】
【００１６】
【図１】本考案の一実施形態に係る乳母車の左側面図を示す。
【図２】図１に示す乳母車の背面図を示す。
【図３】図１に示す乳母車を前方右上方側から見た斜視図を示す。
【図４】本考案の一実施形態に係る底板部材兼用おむつ替えシートの上面図を示す。
【図５】本考案の一実施形態に係る底板部材兼用おむつ替えシートを、乳母車の座席部上に設置した状態を示す斜視図であって、図１に対応する図である。
【考案を実施するための形態】
【００１７】
以下、本考案の実施の形態を図面に基づき詳細に説明する。まず、図１〜図３を参照して、本考案の一実施形態に係る乳母車１１の構成について説明する。なお、以下の説明における前後左右方向は、乳母車１１に着座する乳幼児（図示せず）の視線方向を基準とする。すなわち、説明中の前後方向は、図１の紙面左右方向に相当し、説明中の左右方向は、図１の紙面表裏方向に相当する。
【００１８】
本考案の一実施形態に係る乳母車１１は、乳幼児が着座する座席部１２が取り付けられる座席フレーム１３と、座席フレーム１３から前方下方へ延びる左右一対の前脚フレーム１４１，１４２と、座席フレーム１３から後方下方へ延びる左右一対の後脚フレーム１５１，１５２と、左右の前脚フレーム１４１，１４２に取り付けられる左右一対の手押しフレーム１６１，１６２とを備える。
【００１９】
左右の前脚フレーム１４１，１４２は、それぞれ上端から下端に向けて、前方下方へと傾斜して延びており、前脚フレーム１４１，１４２の下端には、左右一対の前輪１７１，１７２が、それぞれ取り付けられている。前輪１７１，１７２は、鉛直方向を基準に回動可能となるように前脚フレーム１４１，１４２に取り付けられている。
【００２０】
左右の後脚フレーム１５１，１５２は、それぞれ上端から下端に向けて、後方下方へと傾斜して延びており、後脚フレーム１５１，１５２の下端には、左右一対の後輪１８１，１８２が、それぞれ取り付けられている。より具体的には、左側後脚フレーム１５１の上端は、左側前脚フレーム１４１の上端に連結部材２３１を介して連結されており、右側後脚フレーム１５２の上端は、右側前脚フレーム１４２の上端に連結部材２３２を介して連結されている。
【００２１】
手押しフレーム１６１，１６２は、それぞれ前脚フレーム１４１，１４２に、連結部材を介して連結されている。より具体的には、左側の手押しフレーム１６１は、その下端部が連結部材２４１を介して、前脚フレーム１４１に連結されている。連結部材２４１は、その内部に手押しフレーム１６１と前脚フレーム１４１を保持可能なスリーブ形状を有する部材であって、前脚フレーム１４１側に固定されている。また、手押しフレーム１６１は、その中間部分が、上記連結部材２３１に設けられた中空のスリーブ部に挿通固定されている。このように、手押しフレーム１６１は、連結部材２３１，２４１を介して、前脚フレーム１４１に連結されている。
【００２２】
同様に、右側の手押しフレーム１６２は、その下端部が、連結部材２４１と同様の形状を有する連結部材２４２を介して、前脚フレーム１４２に連結されている。また、手押しフレーム１６２は、その中間部分が、連結部材２３２に設けられたスリーブ部に挿通固定されている。このように、手押しフレーム１６２は、連結部材２３２，２４２を介して、前脚フレーム１４２に連結されている。
【００２３】
手押しフレーム１６１，１６２の上端には、左右一対のハンドル部２５１，２５２が取り付けられている。また、左側手押しフレーム１６１の上端と、右側手押しフレーム１６２の上端とは、左右方向に延在するハンドルフレーム２６によって連結されている。左右のハンドル部２５１，２５２、およびハンドルフレーム２６は、乳母車１１を押す場合に使用者が把持するための部材である。
【００２４】
座席フレーム１３は、左右の前脚フレーム１４１，１４２および左右の後脚フレーム１５１，１５２に固定されており、座席フレーム１３の上に設置される座席部１２を、下方から堅固に保持している。
【００２５】
座席部１２は、着座する乳幼児の下半身を下方から支える座部１２１と、座部１２１の後端部に連結され、乳幼児の上半身を背後から支持する背もたれ部１２２と、背もたれ部１２２の後端縁から立ち上がり、乳幼児の頭頂部を上方から覆うヘッドガード部１２３と、背もたれ部１２２の左右両側縁から立ち上がり、乳幼児を両側方から覆う左右一対のサイドガード部１２４，１２５とを有する。座席部１２を構成する上記各部材は、着座する乳幼児の快適性の観点から、クッション性を有する材料によって構成されている。
【００２６】
座席部１２には、座席部１２に乳幼児を安定して拘束するための拘束ベルトが、設けられている。より具体的には、乳幼児の足股に張り渡される股拘束ベルト１９が、座部１２１に設けられており、乳幼児の両肩に張り渡される左右の肩拘束ベルト２０が、背もたれ部１２２に設けられている。そして、股拘束ベルト１９および左右の肩拘束ベルト２０の先端には、それぞれバックルが設けられており、これらのバックルが、バックル連結部材２１にそれぞれ差し込まれ、股拘束ベルト１９と肩拘束ベルト２０とが、互いに連結される。こうして、着座する乳幼児の上半身および下半身を拘束し、座席部１２に乳幼児を安定して着座させる。
【００２７】
乳母車１１は、座席部１２の下方空間において、内部に荷物を収容可能な籠状の荷物収容部３１を備えている。荷物収容部３１は、底壁部３２と、底壁部３２の後端縁から上方に立ち上がる後壁部３３と、底壁部３２の左端縁から上方に立ち上がる左壁部３４と、底壁部３２の右端縁から上方に立ち上がる右壁部３５と、底壁部３２の前端縁から上方に立ち上がる前壁部３６とを有する。
【００２８】
底壁部３２は、四角形状を有しており、座部１２１の前端部近辺から後輪１８１，１８２にまで至る前後方向長さと、左右の後脚フレーム１５１，１５２の間の距離に相当する左右方向の幅を有している。すなわち、本実施形態に係る荷物収容部３１においては、底壁部３２、後壁部３３、左壁部３４、右壁部３５、および前壁部３６によって、上記寸法を有する四角形の荷物収容空間が形成されている。なお、荷物収容部３１は、柔軟性を有する布製材料によって構成されている。
【００２９】
ここで、本実施形態に係る乳母車１１は、荷物収容部３１の内部に着脱可能に挿入されている底板部材であって、後述するように、おむつを取り替える場合にはおむつ替えシートとして機能させることが可能な、底板部材兼用おむつ替えシート４１を備えている。
【００３０】
次に、図１〜図５を参照して、本考案の一実施形態に係る底板部材兼用おむつ替えシート４１について説明する。
【００３１】
底板部材兼用おむつ替えシート４１は、通常時においては、図１〜図３に示すように、荷物収容部３１の底壁部３２上に載置されている。底板部材兼用おむつ替えシート４１は、適度な剛性と柔軟性とを有する材料によって構成された所定の厚みを有する平板状部材であって、底壁部３２とほぼ同じ寸法を有している。すなわち、本実施形態に係る底板部材兼用おむつ替えシート４１は、図４に示すように、左右方向の幅Ｘと、前後方向長さＹとを有する四角形の平板部材であって、左右方向幅Ｘは、左右の後脚フレーム１５１，１５２の間の距離に相当し、前後方向長さＹは、座部１２１の前端部近辺から後輪１８１，１８２にまで至る前後方向長さに相当する。
【００３２】
適度な剛性と柔軟性とを併せ持つ底板部材兼用おむつ替えシート４１を実現するためには、例えば、剛性を有する芯材と、芯材の表面を覆う柔軟性を有する被覆層とを含む多層構造として、底板部材兼用おむつ替えシート４１を構成することが考えられる。
【００３３】
底板部材兼用おむつ替えシート４１は、その表面が、水分が透過不可能なビニールシートによって覆われている。また、底板部材兼用おむつ替えシート４１の前後方向略中央部には、左右方向に延びる折り曲げ部４２が、設けられている。底板部材兼用おむつ替えシート４１は、この折り曲げ部４２に沿って、一方に折り曲げ易い構造となっている。
【００３４】
図１〜図３に示すように、底板部材兼用おむつ替えシート４１を荷物収容部３１の底板部材として利用し、荷物収容部３１内に荷物を収容させた場合は、底板部材兼用おむつ替えシート４１が適度な剛性を有する平板部材であることから、荷物収容部３１に収容された荷物を下方から安定して支持することができる。また、上記のように、底板部材兼用おむつ替えシート４１は、底壁部３２とほぼ同寸法の四角形状を有することから、荷物収容部３１に比較的に重量のある荷物が収容された場合においても、荷物収容部３１の四角形状を安定して保形することができる。これにより、乳母車１１を用いて、乳幼児とともに荷物を安定して運搬することができる。
【００３５】
底板部材兼用おむつ替えシート４１を用いて乳幼児のおむつを取り替える場合には、底板部材兼用おむつ替えシート４１を、図５に示すように、座部１２１と背もたれ部１２２との境界線部分に上記折り曲げ部４２を一致させるようにして設置する。そうすると、底板部材兼用おむつ替えシート４１が、座部１２１および背もたれ部１２２の形状に沿って屈曲するため、板部材兼用おむつ替えシート４１を座席部１２に効果的に適合させることができる。
【００３６】
ここで、本実施形態に係る底板部材兼用おむつ替えシート４１は、上記したように、左右の後脚フレーム１５１，１５２の間の距離に相当する左右方向幅Ｘと、座部１２１の前端部近辺から後輪１８１，１８２にまで至る前後方向長さＹとを有するように構成されている。したがって、図５に示すように座席部１２に設置された場合、底板部材兼用おむつ替えシート４１によって、座部１２１のほぼ全域と、背もたれ部１２２の前方側領域が、左右方向の略全幅に亘って覆われることとなる。すなわち、底板部材兼用おむつ替えシート４１によって、座部１２１に設けられた股拘束ベルト１９と、股拘束ベルト１９の前端に取り付けられたバックルおよびバックル連結部材２１とが、全て覆われることとなる。
【００３７】
使用者は、このように座席部１２に設置された底板部材兼用おむつ替えシート４１の上に乳幼児を仰臥させ、おむつを取り替える。このとき、股拘束ベルト１９の前端に取り付けられたバックルやバックル連結部材２１が、底板部材兼用おむつ替えシート４１によって全て覆われているため、おむつ取り替え時において、これらの硬質な連結部材が乳幼児に接触することを防ぐことができる。したがって、乳幼児に不快感を与えることなく、乳母車１１の上でおむつ取り替え作業を行うことができる。
【００３８】
このように、本実施形態に係る底板部材兼用おむつ替えシート４１は、通常時においては、乳母車１１の荷物収容部３１の内部に挿入され、収容された荷物を下方から安定して支持するとともに、荷物収容部３１を堅固に保形することができる底板部材として有利に機能する。そして、おむつ取り替え時においては、乳幼児に不快感を与えることなくおむつ取り替え作業を行うことを可能とするおむつ替えシートとして有利に機能する。したがって、本実施形態によれば、使用者は、外出時におむつ取り替えを行う必要が生じた場合に、従来のようにおむつ取り替えに適した場所を探す必要や、おむつ取り替え用部材を別途持ち運んで使用する必要がない。これにより、外出時におけるおむつ取り替え作業に係る利便性を大幅に改善することができる。
【００３９】
また、本実施形態に係る底板部材兼用おむつ替えシート４１は、その上に仰臥する乳幼児の快適性を損なわないように、適度な柔軟性を有するように構成されている。これにより、おむつ取り替え時における乳幼児の快適性をより向上させることができる。
【００４０】
また、本実施形態に係る底板部材兼用おむつ替えシート４１は、その表面が水分透過不可能なビニールシートによって覆われている。これにより、おむつ取り替え時に表面に汚物が付着したとしても、使用者は、その汚物を容易に拭き取ることができる。したがって、清潔性を向上させることができる。
【００４１】
また、本実施形態に係る底板部材兼用おむつ替えシート４１には、上記折り曲げ部４２が設けられていることから、底板部材兼用おむつ替えシート４１を座席部１２の形状に沿って効果的に適合させることができる。これにより、おむつ替えシートとして用いた場合に、仰臥する乳幼児の快適性をより向上させることができる。
【００４２】
なお、本実施形態においては、底板部材兼用おむつ替えシート４１の左右方向の幅Ｘを、左右の後脚フレーム１５１，１５２の間の距離に略一致するように設定し、前後方向長さＹを、座部１２１の前端部近辺から後輪１８１，１８２にまで至る前後方向長さとなるように設定した。ここで、底板部材兼用おむつ替えシート４１は、上記したように荷物収容部３１の「底板部材」としての機能と、「おむつ替えシート」としての機能とを兼ね備える部材である。したがって、上記幅Ｘおよび長さＹは、これら二つの用途に適するようにある一定の数値範囲内で選択されることが好ましい。以下に、幅Ｘおよび長さＹに関する好ましい数値範囲について考察する。
【００４３】
まず、幅Ｘについて考察する。一般的に、乳母車は、月齢６〜７カ月の乳児から使用が開始される。乳幼児の身体測定データ表（昭和４８年度  製品安全協会実施）によれば、月齢６〜９カ月の乳児の座位臀部幅の下限値は、１２１．４ｍｍである。このデータに基づいて、「おむつ替えシート」として機能させるための幅Ｘの下限値を考えると、１８０ｍｍ（＝１２０ｍｍ＋３０ｍｍ（最小余剰分）×２）程度となる。また、幅Ｘの上限値としては、座席部１２の左右方向の幅と略一致させることが考えられる。ここで、現在一般的な乳母車の座席部は、３００ｍｍ〜４００ｍｍ程度の幅となるように設計されている。これらを考慮すると、幅Ｘは、１８０ｍｍ〜４００ｍｍの範囲内に設定されることが好ましい。
【００４４】
次に、長さＹについて考察する。乳幼児の身体測定データ表によれば、月齢６〜９カ月の乳児の臀部〜膝外間距離の下限値は、１６１．８ｍｍである。このデータに基づいて、「おむつ替えシート」として機能させるための長さＹの下限値を考えると、２００ｍｍ（＝１６０ｍｍ＋２０ｍｍ（最小余剰分）×２）程度となる。また、長さＹの上限値としては、荷物収容部の最大前後方向長さとして規定することが妥当である。すなわち、荷物収容部の最大前後方向長さは、乳母車の前輪〜後輪間距離以下となる。ここで、一般的な乳母車の前輪〜後輪間距離は、６００ｍｍ程度までの寸法となるように設計されている。これらを考慮すると、長さＹは、２００ｍｍ〜６００ｍｍの範囲内に設定されることが好ましい。
【００４５】
このように、幅Ｘおよび長さＹの数値範囲を設定することによって、荷物収容部３１に用いられる底板部材としての用途と、おむつ替えシートとしての用途とを、より有利に両立させることができる。
【００４６】
なお、底板部材兼用おむつ替えシート４１の寸法は、上記数値範囲内となるように選択されることが好ましいが、これに限定されるものではない。すなわち、「おむつ替えシート」としての観点からは、底板部材兼用おむつ替えシート４１は、座部１２１に設けられた股拘束ベルト１９に取り付けられているバックルを覆うことができれば、「おむつ替えシート」としての機能を十分に果たすことができるからである。また、荷物収容部３１を比較的に小型に構成することは十分可能であることから、「底板部材」としての観点からも、上記数値範囲に限定されずに、底板部材兼用おむつ替えシート４１を構成することは可能である。すなわち、本発明に係る底板部材兼用おむつ替えシートは、「底板部材」としての機能と「おむつ替えシート」としての機能とを兼ね備える範囲において、如何なる寸法に構成されてもよい。
【００４７】
また、本実施形態においては、荷物収容部３１および底板部材兼用おむつ替えシート４１が、いずれも四角形状を有するように構成された場合について述べたが、これに限らず、例えば三角形や六角形といった多角形、円形、またはその他任意の形状を有するように構成されてもよい。
【００４８】
また、本実施形態においては、底板部材兼用おむつ替えシート４１に折り曲げ部４２を設けた場合について述べたが、これに限らず、折り曲げ部４２を設けずに、底板部材兼用おむつ替えシート４１自体の撓みを利用して座席部１２に適合させる構成であってもよい。
【００４９】
また、本実施形態においては、底板部材兼用おむつ替えシート４１の表面がビニールシートによって覆われている場合について述べたが、これに限らず、水分を透過不可能であれば如何なる材料も適用可能である。
【００５０】
また、底板部材兼用おむつ替えシート４１を構成する材料としては、上記用途に適するものであれば如何なる材料を用いてもよい。また、単一の材料によって構成してもよいし、複数の材料を用いた多層構造としてもよい。
【００５１】
以上、図面を参照して本考案の実施の形態を説明したが、本考案は、図示した実施の形態のものに限定されない。図示した実施の形態に対して、本考案と同一の範囲内において、あるいは均等の範囲内において、種々の修正や変形を加えることが可能である。
【産業上の利用可能性】
【００５２】
本考案は、外出時におけるおむつ取り替え作業に係る利便性を大幅に向上させることができる乳母車を提供するものであって、乳母車製造分野において有利に利用される。
【符号の説明】
【００５３】
１１  乳母車、１２  座席部、１２１  座部、１２２  背もたれ部、１２３  ヘッドガード部、１２４，１２５  サイドガード部、１３  座席フレーム、１４１，１４２  前脚フレーム、１５１，１５２  後脚フレーム、１６１，１６２  手押しフレーム、１７１，１７２  前輪、１８１，１８２  後輪、１９  股拘束ベルト、２０  肩拘束ベルト、２１  バックル連結部材、２３１，２３２，２４１，２４２  連結部材、２５１，２５２  ハンドル部、２６  ハンドルフレーム、３１  荷物収容部、３２  底壁部、３３  後壁部、３４  左壁部、３５  右壁部、３６  前壁部、４１  底板部材兼用おむつ替えシート、４２  折り曲げ部。
【図１】
0003168619.tif 000003
【図２】
0003168619.tif 000004
【図３】
0003168619.tif 000005
【図４】
0003168619.tif 000006
【図５】
0003168619.tif 000007
【手続補正書】
【提出日】平成23年4月13日(2011.4.13)
【手続補正１】
【補正対象書類名】実用新案登録請求の範囲
【補正対象項目名】全文
【補正方法】変更
【補正の内容】
【実用新案登録請求の範囲】
【請求項１】
乳幼児を下方から支持する座部と、乳幼児を背後から支持する背もたれ部と、前記座部に設けられ、先端に連結部材が取り付けられた股拘束ベルトと、を有する座席部と、
前記座席部の下方空間に設けられ、その内部に荷物を収容可能な荷物収容部と、
前記荷物収容部の底部に着脱可能に挿入される底板部材と、を備え、
前記底板部材は、
前記股拘束ベルトに取り付けられた連結部材を全て覆うように、前記座席部の上に設置可能となっており、
前記座席部の上に設置された場合、乳幼児をその上に仰臥させ、前記連結部材が乳幼児に接触することなく、おむつ取り替え作業を行うことを可能とするおむつ替えシートとして機能する、乳母車。
【請求項２】
前記底板部材は、
前記荷物収容部内に挿入され、その上に荷物が載置された場合に、前記荷物収容部を安定して保形可能な剛性と、
前記座席部の上に設置され、その上に乳幼児を仰臥させた場合に、乳幼児の快適性を損なうことのない柔軟性と、を有する材料によって構成される、請求項１に記載の乳母車。
【請求項３】
底板部材の表面は、水分が浸透不可能な材料によって覆われる、請求項１または２に記載の乳母車。
【請求項４】
前記底板部材の左右方向の幅は、１８０ｍｍ〜４００ｍｍの範囲内に設定される、請求項１〜３のいずれかに記載の乳母車。
【請求項５】
前記底板部材の前後方向の長さは、２００ｍｍ〜６００ｍｍの範囲内に設定される、請求項１〜４のいずれかに記載の乳母車。
【請求項６】
前記底板部材は、
前記座席部の上に設置された場合に前記座部と前記背もたれ部との境界線に相当する領域に折り曲げ部を有し、
当該折り曲げ部において折り曲げ可能となっている、請求項１〜５のいずれかに記載の乳母車。
【請求項７】
乳母車の座席部上において乳幼児のおむつ取り替え作業を行うために、前記座席部上に設置可能であるとともに、前記座席部の下方空間に配置された荷物収容部の形状を保形するために、前記荷物収容部の底部に挿入可能な乳母車の底板部材兼用おむつ替えシートであって、
その表面が、水分が浸透不可能な材料によって覆われており、
左右方向の幅は、１８０ｍｍ〜４００ｍｍの範囲内に設定され、且つ、前後方向の長さは、２００ｍｍ〜６００ｍｍの範囲内に設定され、
適度な剛性を有する芯材と、芯材の表面を覆う適度な柔軟性を有する被覆層とから構成される、底板部材兼用おむつ替えシート。
【手続補正２】
【補正対象書類名】明細書
【補正対象項目名】００１３
【補正方法】変更
【補正の内容】
【００１３】
本考案の他の局面として、本考案に係る乳母車の底板部材兼用おむつ替えシートは、乳母車の座席部上において乳幼児のおむつ取り替え作業を行うために、座席部上に設置可能であるとともに、座席部の下方空間に配置された荷物収容部の形状を保形するために、荷物収容部の底部に挿入可能となっている。ここで、底板部材兼用おむつ替えシートは、その表面が水分が浸透不可能な材料によって覆われており、左右方向の幅は１８０ｍｍ〜４００ｍｍの範囲内に設定され、且つ、前後方向の長さは２００ｍｍ〜６００ｍｍの範囲内に設定されている。そして、底板部材兼用おむつ替えシートは、適度な剛性を有する芯材と、芯材の表面を覆う適度な柔軟性を有する被覆層とから構成される。